(57)【要約】【課題】端末装置および基地局装置が互いに、効率的に通信を継続する。【解決手段】端末装置は、ソースセルからターゲットセルにハンドオーバする端末装置であって、前記ソースセルのＰＤＳＣＨ（Physical Downlink Shared Channel）を用いて、ＣＳＩ（Channel state Information）リクエストと上りリンクグラントを含むハンドオーバコマンドを受信する受信部と、前記ＣＳＩリクエストが非周期的なＣＳＩレポートをトリガーするようにセットされている場合、前記上りリンクグラントに基づいて、前記ターゲットセルに対するＣＳＩ、および、上りリンクデータを含むＰＵＳＣＨの第１の送信を実行する送信部と、を備える。【選択図】図１５
2019083358.tif 000002
【特許請求の範囲】
【請求項１】
ソースセルからターゲットセルにハンドオーバする端末装置であって、
前記ソースセルにおいて、ＣＳＩ（Channel state Information）リクエストと上りリ
ンクグラントを含むハンドオーバコマンドを受信する受信部と、
前記ＣＳＩリクエストが非周期的なＣＳＩレポートをトリガーするようにセットされている場合、前記上りリンクグラントに基づいて、前記ターゲットセルに対するＣＳＩをともなう上りリンクデータの第１の送信を実行する送信部と、を備える
端末装置。
【請求項２】
前記上りリンクデータは、コンプリートメッセージを含み、
前記コンプリートメッセージは、前記ハンドオーバを確証（confirm）するために送信
される
請求項１の端末装置。
【請求項３】
前記送信部は、前記第１の送信に対する応答がないことに基づいて、前記ターゲットセルに対するＣＳＩをともなう前記上りリンクデータの第２の送信を実行する
請求項１の端末装置。
【請求項４】
前記送信部は、前記第１の送信に対するＮＡＣＫ（Negative Acknowledgement）の検出に基づいて、前記ターゲットセルに対するＣＳＩをともなわない前記上りリンクデータの第３の送信を実行する
請求項３の端末装置。
【請求項５】
前記上りリンクデータの符号化は、リダンダンシーヴァージョンに基づいて実行され、
前記第２の送信の前記上りリンクデータに対して適用されるリダンダンシーヴァージョンは、前記第１の送信の前記上りリンクデータに対して適用されるリダンダンシーヴァージョンと同じである
請求項４の端末装置。
【請求項６】
前記第３の送信の前記上りリンクデータに対して適用されるリダンダンシーヴァージョンは、前記第１の送信の前記上りリンクデータに対して適用されるリダンダンシーヴァージョンと異なる
請求項５の端末装置。
【請求項７】
ソース基地局装置からターゲット基地局装置にハンドオーバする端末装置と通信するターゲット基地局装置であって、
前記ソース基地局装置によって前記端末装置に転送されるハンドオーバコマンドであって、ＣＳＩ（Channel state Information）リクエストと上りリンクグラントを含む前記
ハンドオーバコマンドを、前記ソース基地局装置に送信する上位層処理部と、
前記ＣＳＩリクエストが非周期的なＣＳＩレポートをトリガーするようにセットされている場合、前記上りリンクグラントに基づいて、前記ターゲット基地局装置のターゲットセルに対するＣＳＩをともなう上りリンクデータの第１の送信を受信する受信部と、を備える
ターゲット基地局装置。
【請求項８】
前記上りリンクデータは、コンプリートメッセージを含み、
前記コンプリートメッセージは、前記ハンドオーバを確証（confirm）するために送信
される
請求項７のターゲット基地局装置。
【請求項９】
ソースセルからターゲットセルにハンドオーバする端末装置に用いられる通信方法であって、
前記ソースセルにおいて、ＣＳＩ（Channel state Information）リクエストと上りリ
ンクグラントを含むハンドオーバコマンドを受信し、
前記ＣＳＩリクエストが非周期的なＣＳＩレポートをトリガーするようにセットされている場合、前記上りリンクグラントに基づいて、前記ターゲットセルに対するＣＳＩをともなう上りリンクデータの第１の送信を実行する
通信方法。
【請求項１０】
前記上りリンクデータは、コンプリートメッセージを含み、
前記コンプリートメッセージは、前記ハンドオーバを確証（confirm）するために送信
される
請求項９の通信方法。
【請求項１１】
前記第１の送信に対する応答がないことに基づいて、前記ターゲットセルに対するＣＳＩをともなう前記上りリンクデータの第２の送信を実行する
請求項９の通信方法。
【請求項１２】
前記第１の送信に対するＮＡＣＫ（Negative Acknowledgement）の検出に基づいて、前記ターゲットセルに対するＣＳＩをともなわない前記上りリンクデータの第３の送信を実行する
請求項１１の通信方法。
【請求項１３】
前記上りリンクデータの符号化は、リダンダンシーヴァージョンに基づいて実行され、
前記第２の送信の前記上りリンクデータに対して適用されるリダンダンシーヴァージョンは、前記第１の送信の前記上りリンクデータに対して適用されるリダンダンシーヴァージョンと同じである
請求項１２の通信方法。
【請求項１４】
前記第３の送信の前記上りリンクデータに対して適用されるリダンダンシーヴァージョンは、前記第１の送信の前記上りリンクデータに対して適用されるリダンダンシーヴァージョンと異なる
請求項１３の通信方法。
【請求項１５】
ソース基地局装置からターゲット基地局装置にハンドオーバする端末装置と通信するターゲット基地局装置に用いられる通信方法であって、
前記ソース基地局装置によって前記端末装置に転送されるハンドオーバコマンドであって、ＣＳＩ（Channel state Information）リクエストと上りリンクグラントを含む前記
ハンドオーバコマンドを、前記ソース基地局装置に送信し、
前記ＣＳＩリクエストが非周期的なＣＳＩレポートをトリガーするようにセットされている場合、前記上りリンクグラントに基づいて、前記ターゲット基地局装置のターゲットセルに対するＣＳＩをともなう上りリンクデータの第１の送信を受信する
通信方法。
【請求項１６】
前記上りリンクデータは、コンプリートメッセージを含み、
前記コンプリートメッセージは、前記ハンドオーバを確証（confirm）するために送信
される
請求項１５の通信方法。
【請求項１７】
ソースセルからターゲットセルにハンドオーバする端末装置に実装される集積回路であって、
前記ソースセルにおいて、ＣＳＩ（Channel state Information）リクエストと上りリ
ンクグラントを含むハンドオーバコマンドを受信する受信回路と、
前記ＣＳＩリクエストが非周期的なＣＳＩレポートをトリガーするようにセットされている場合、前記上りリンクグラントに基づいて、前記ターゲットセルに対するＣＳＩをともなう上りリンクデータの第１の送信を実行する送信回路と、を備える
集積回路。
【請求項１８】
ソース基地局装置からターゲット基地局装置にハンドオーバする端末装置と通信するターゲット基地局装置に実装される集積回路であって、
前記ソース基地局装置によって前記端末装置に転送されるハンドオーバコマンドであって、ＣＳＩ（Channel state Information）リクエストと上りリンクグラントを含む前記
ハンドオーバコマンドを、前記ソース基地局装置に送信する上位層処理回路と、
前記ＣＳＩリクエストが非周期的なＣＳＩレポートをトリガーするようにセットされている場合、前記上りリンクグラントに基づいて、前記ターゲット基地局装置のターゲットセルに対するＣＳＩをともなう上りリンクデータの第１の送信を受信する受信回路と、を備える
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている（非特許文献１、２、３、４、５
）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置
するセルラー通信システムである。単一の基地局装置は複数のセルを管理してもよい。
【０００３】
ハンドオーバの遅延を減らすために、（ｉ）ランダムアクセス手順を行わずに、端末装置がソースセルからターゲットセルにハンドオーバすること、および、（ｉｉ）ハンドオーバコマンド応答（RRC Connection Reconfiguration Complete message）の送信のため
の上りリンクグラントがハンドオーバコマンドによって事前に割り当てられることが検討されている（非特許文献６）。
【先行技術文献】
【非特許文献】
【０００４】
【非特許文献１】"3GPP TS 36.211 V13.0.0 (2015-12)", 6th January, 2016.
【非特許文献２】"3GPP TS 36.212 V13.0.0 (2015-12)", 6th January, 2016.
【非特許文献３】"3GPP TS 36.213 V13.0.0 (2015-12)", 6th January, 2016.
【非特許文献４】"3GPP TS 36.321 V13.0.0 (2015-12)", 14th January, 2016.
【非特許文献５】"3GPP TS 36.331 V13.0.0 (2015-12)", 7th January, 2016.
【非特許文献６】"3GPP TR 36.881 v0.5.0 (2015-11)", R2-157181, 4th December 2015.
【発明の概要】
【発明が解決しようとする課題】
【０００５】
本発明は、基地局装置との通信を効率的に継続することができる端末装置、該端末装置と通信する基地局装置、該端末装置に用いられる通信方法、該基地局装置に用いられる通信方法、該端末装置に実装される集積回路、該基地局装置に実装される集積回路を提供する。
【課題を解決するための手段】
【０００６】
（１）本発明の態様は、以下のような手段を講じた。すなわち、本発明の第１の態様は、ソースセルからターゲットセルにハンドオーバする端末装置であって、前記ソースセルにおいて、ＣＳＩ（Channel state Information）リクエストと上りリンクグラントを含
むハンドオーバコマンドを受信する受信部と、前記ＣＳＩリクエストが非周期的なＣＳＩレポートをトリガーするようにセットされている場合、前記上りリンクグラントに基づいて、前記ターゲットセルに対するＣＳＩをともなう上りリンクデータの第１の送信を実行する送信部と、を備える。
【０００７】
（２）本発明の第２の態様は、ソース基地局装置からターゲット基地局装置にハンドオーバする端末装置と通信するターゲット基地局装置であって、前記ソース基地局装置によって前記端末装置に転送されるハンドオーバコマンドであって、ＣＳＩ（Channel state 
Information）リクエストと上りリンクグラントを含む前記ハンドオーバコマンドを、前
記ソース基地局装置に送信する上位層処理部と、前記ＣＳＩリクエストが非周期的なＣＳＩレポートをトリガーするようにセットされている場合、前記上りリンクグラントに基づいて、前記ターゲット基地局装置のターゲットセルに対するＣＳＩをともなう上りリンクデータの第１の送信を受信する受信部と、を備える。
【０００８】
（３）本発明の第３の態様は、ソースセルからターゲットセルにハンドオーバする端末装置に用いられる通信方法であって、前記ソースセルにおいて、ＣＳＩ（Channel state Information）リクエストと上りリンクグラントを含むハンドオーバコマンドを受信し、
前記ＣＳＩリクエストが非周期的なＣＳＩレポートをトリガーするようにセットされている場合、前記上りリンクグラントに基づいて、前記ターゲットセルに対するＣＳＩをともなう上りリンクデータの第１の送信を実行する。
【０００９】
（４）本発明の第４の態様は、ソース基地局装置からターゲット基地局装置にハンドオーバする端末装置と通信するターゲット基地局装置に用いられる通信方法であって、前記ソース基地局装置によって前記端末装置に転送されるハンドオーバコマンドであって、ＣＳＩ（Channel state Information）リクエストと上りリンクグラントを含む前記ハンド
オーバコマンドを、前記ソース基地局装置に送信し、前記ＣＳＩリクエストが非周期的なＣＳＩレポートをトリガーするようにセットされている場合、前記上りリンクグラントに基づいて、前記ターゲット基地局装置のターゲットセルに対するＣＳＩをともなう上りリンクデータの第１の送信を受信する。
【００１０】
（５）本発明の第５の態様は、ソースセルからターゲットセルにハンドオーバする端末装置に実装される集積回路であって、前記ソースセルにおいて、ＣＳＩ（Channel state Information）リクエストと上りリンクグラントを含むハンドオーバコマンドを受信する
受信回路と、前記ＣＳＩリクエストが非周期的なＣＳＩレポートをトリガーするようにセットされている場合、前記上りリンクグラントに基づいて、前記ターゲットセルに対するＣＳＩをともなう上りリンクデータの第１の送信を実行する送信回路と、を備える。
【００１１】
（６）本発明の第６の態様は、ソース基地局装置からターゲット基地局装置にハンドオーバする端末装置と通信するターゲット基地局装置に実装される集積回路であって、前記ソース基地局装置によって前記端末装置に転送されるハンドオーバコマンドであって、ＣＳＩ（Channel state Information）リクエストと上りリンクグラントを含む前記ハンド
オーバコマンドを、前記ソース基地局装置に送信する上位層処理回路と、前記ＣＳＩリクエストが非周期的なＣＳＩレポートをトリガーするようにセットされている場合、前記上りリンクグラントに基づいて、前記ターゲット基地局装置のターゲットセルに対するＣＳＩをともなう上りリンクデータの第１の送信を受信する受信回路と、を備える。
【発明の効果】
【００１２】
この発明によれば、端末装置および基地局装置は互いに、効率的に通信を継続することができる。
【図面の簡単な説明】
【００１３】
【図１】本実施形態の無線通信システムの概念図である。
【図２】本実施形態の無線フレームの概略構成を示す図である。
【図３】本実施形態の上りリンクスロットの概略構成を示す図である。
【図４】本実施形態におけるハンドオーバプロシージャの一例を示す図である。
【図５】本実施形態における上りリンクグラントに含まれるフィールドを説明するための図である。
【図６】本実施形態におけるトランスポートブロックおよびＣＳＩの符号化処理の一例を示す図である。
【図７】本実施形態におけるコードワード（トランスポートブロック）の符号化の処理の一例を示す図である。
【図８】本実施形態におけるレートマッチングの一例を示す図である。
【図９】本実施形態のビット選択および除去の一例を示す図である。
【図１０】本実施形態における５ビットの‘Modulation and coding scheme and redundancy version’フィールドによって示されるＭＣＳインデックスIMCS、変調方式Q’m、ＴＢＳ（Transport Block Size）インデックスITBS、および、リダンダンシーヴァージョンrvidxの対応の一例を示す図である。
【図１１】本実施形態における４ビットの‘Modulation and coding scheme and redundancy version’フィールドによって示されるＭＣＳインデックスIMCS、変調方式Q’m、ＴＢＳ（Transport Block Size）インデックスITBS、および、リダンダンシーヴァージョンrvidxの対応の一例を示す図である。
【図１２】本実施形態における再送信のケースの一例を示す図である。
【図１３】本実施形態における状態変数ＣＵＲＲＥＮＴ＿ＩＲＶおよびリダンダンシーヴァージョンrvidxの関係の一例を示す図である。
【図１４】本実施形態におけるサブフレーム割り当て情報が示すサブフレームのパターンの一例を示す図である。
【図１５】本実施形態の端末装置１の構成を示す概略ブロック図である。
【図１６】本実施形態のターゲット基地局装置３Ｂの構成を示す概略ブロック図である。
【発明を実施するための形態】
【００１４】
以下、本発明の実施形態について説明する。
【００１５】
図１は、本実施形態の無線通信システムの概念図である。図１において、無線通信システムは、端末装置１、および、基地局装置３を具備する。基地局装置３は、ソース基地局装置３Ａ、ターゲット基地局装置３Ｂ、および、ＭＭＥ（Mobility Management Entity）／ＧＷ（Gateway）を含む。Ｕｕは端末装置１と基地局装置３の間の無線アクセスリンク
である。Ｕｕは、端末装置１から基地局装置３への上りリンク、および、基地局装置３から端末装置１への下りリンクを含む。Ｘ２は、ソース基地局装置３Ａとターゲット基地局装置３Ｂの間のバックホールリンクである。Ｓ１は、ソース基地局装置３Ａ／ターゲット基地局装置３ＢとＭＭＥ／ＧＷの間のバックホールリンクである。
【００１６】
端末装置１は、ソース基地局装置３Ａからターゲット基地局装置３Ｂにハンドオーバしてもよい。端末装置１は、ソースセルからターゲットセルにハンドオーバしてもよい。ソースセルは、ソース基地局装置３Ａによって管理されてもよい。ターゲットセルは、ターゲット基地局装置３Ｂによって管理されてもよい。ソース基地局装置３Ａ、および、ターゲット基地局装置３Ｂは、同じ装置であってもよい。すなわち、端末装置１は、ソース基地局装置３Ａが管理するソースセルから、当該ソース基地局装置３Ａが管理するターゲットセルにハンドオーバしてもよい。ソースセルを、ソースプライマリーセルとも称する。ターゲットセルを、ターゲットプライマリーセルとも称する。
【００１７】
以下、キャリアアグリゲーションについて説明する。
【００１８】
本実施形態では、端末装置１は、複数のサービングセルが設定される。端末装置１が複数のサービングセルを介して通信する技術をセルアグリゲーション、またはキャリアアグリゲーションと称する。キャリアアグリゲーションにおいて、設定された複数のサービングセルを集約されたサービングセルとも称する。
【００１９】
本実施形態の無線通信システムは、ＴＤＤ（Time Division Duplex）および／またはＦＤＤ（Frequency Division Duplex）が適用される。セルアグリゲーションの場合には、
複数のサービングセルの全てに対してＴＤＤが適用されてもよい。また、セルアグリゲーションの場合には、ＴＤＤが適用されるサービングセルとＦＤＤが適用されるサービングセルが集約されてもよい。本実施形態において、ＴＤＤが適用されるサービングセルをＴＤＤサービングセルとも称する。
【００２０】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンド
オーバプロシージャにおいてプライマリーセルと指示されたセルである。ＲＲＣ（Radio Resource Control）コネクションが確立された時点、または、後に、セカンダリーセルが設定されてもよい。
【００２１】
プライマリーセルは、ソースプライマリーセル、および、ターゲットプライマリーセルを含む。
【００２２】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２３】
端末装置１は、集約される複数のサービングセル（コンポーネントキャリア）において、複数の物理チャネル／複数の物理シグナルの同時送信を行うことができる。端末装置１は、集約される複数のサービングセル（コンポーネントキャリア）において、複数の物理チャネル／複数の物理シグナルの同時受信を行うことができる。
【００２４】
図２は、本実施形態の無線フレームの概略構成を示す図である。図２において、横軸は時間軸である。
【００２５】
時間領域における種々のフィールドのサイズは、時間ユニットTs=1/(15000・2048)秒の数によって表現される。無線フレームの長さは、Tf=307200・Ts=10msである。それぞれの無線フレームは、時間領域において連続する１０のサブフレームを含む。それぞれのサブフレームの長さは、Tsubframe=30720・Ts=1msである。それぞれのサブフレームｉは、時
間領域において連続する２つのスロットを含む。該時間領域において連続する２つのスロットは、無線フレーム内のスロット番号nsが２ｉのスロット、および、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。
【００２６】
以下、本実施形態のスロットの構成について説明する。図３は、本実施形態の上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡ（Single Carrier-Frequency Division Multiple Access
）シンボル番号／インデックスであり、ｋはサブキャリア番号／インデックスである。
【００２７】
スロットのそれぞれにおいて送信される物理シグナルまたは物理チャネルは、リソースグリッドによって表現される。上りリンクにおいて、リソースグリッドは複数のサブキャ
リアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００２８】
リソースグリッドは、アンテナポート毎に定義される。本実施形態では、１つのアンテナポートに対する説明を行う。複数のアンテナポートのそれぞれに対して、本実施形態が適用されてもよい。
【００２９】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。ノーマルＣＰ（normal Cyclic Prefix）に対して、NULsymbは７で
ある。拡張ＣＰ（extended Cyclic Prefix）に対して、NULsymbは６である。
【００３０】
上りリンクスロットは、周波数領域において、複数のサブキャリアｋ（k=0,1,…,NULRB
×NRBsc)を含む。NULRBは、NRBscの倍数によって表現される、サービングセルに対する
上りリンク帯域幅設定である。NRBscは、サブキャリアの数によって表現される、周波数
領域における（物理）リソースブロックサイズである。本実施形態において、サブキャリア間隔Δfは１５ｋＨｚであり、NRBscは１２サブキャリアである。すなわち、本実施形態においてNRBscは、１８０ｋＨｚである。
【００３１】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB -1）が付けられる。
【００３２】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて同じであるため、下りリンクのスロットの構成の説明は省略する。
【００３３】
本実施形態の物理チャネルおよび物理シグナルについて説明する。
【００３４】
図１において、端末装置１から基地局装置３への上りリンクの無線通信では、以下の上りリンク物理チャネルが用いられる。上りリンク物理チャネルは、上位層から出力された情報を送信するために、物理層によって使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３５】
ＰＵＣＣＨは、上りリンク制御情報（Uplink Control Information: UCI）を送信する
ために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Dat
a Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＨＡＲＱフィードバック、ＨＡＲ
Ｑ情報、ＨＡＲＱ制御情報、および、ＡＣＫ／ＮＡＣＫとも称する。
【００３６】
ＰＵＳＣＨは、上りリンクデータ（Uplink-Shared Channel: UL-SCH）を送信するため
に用いられる。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００３７】
ＰＲＡＣＨは、ランダムアクセスプリアンブル（ランダムアクセスメッセージ１）を送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整
）、およびＰＵＳＣＨ（ＵＬ−ＳＣＨ）リソースの要求を示すために用いられる。
【００３８】
図１において、上りリンクの無線通信では、以下の上りリンク物理シグナルが用いられる。上りリンク物理シグナルは、上位層から出力された情報を送信するために使用されないが、物理層によって使用される。
・上りリンク参照信号（Uplink Reference Signal: UL RS）
【００３９】
本実施形態において、以下の２つのタイプの上りリンク参照信号が用いられる。
・ＤＭＲＳ（Demodulation Reference Signal）
・ＳＲＳ（Sounding Reference Signal）
【００４０】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４１】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡシンボル、または、ＵｐＰＴＳにおけるＳＣ−ＦＤＭＡシンボルにおいて送信される。
【００４２】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００４３】
ＰＢＣＨは、端末装置１で共通に用いられるマスターインフォメーションブロック（Master Information Block: MIB, Broadcast Channel: BCH）を報知するために用いられる
。ＭＩＢは、４０ms間隔で送信され、ＭＩＢは１０ｍｓ周期で繰り返し送信される。具体的には、SFN mod 4 = 0を満たす無線フレームにおけるサブフレーム０においてＭＩＢの
初期送信が行なわれ、他の全ての無線フレームにおけるサブフレーム０においてＭＩＢの再送信（repetition）が行なわれる。ＳＦＮ（system frame number）は無線フレームの
番号である。ＭＩＢはシステム情報である。例えば、ＭＩＢは、ＳＦＮを示す情報を含む。
【００４４】
ＰＣＦＩＣＨは、ＰＤＣＣＨの送信に用いられる領域（ＯＦＤＭシンボル）を指示する情報を送信するために用いられる。
【００４５】
ＰＨＩＣＨは、基地局装置３が受信した上りリンクデータ（Uplink Shared Channel: UL-SCH）に対するＨＡＲＱインディケータを送信するために用いられる。ＨＡＲＱインデ
ィケータは、ＨＡＲＱ−ＡＣＫを示す。
【００４６】
ＰＤＣＣＨおよびＥＰＤＣＣＨは、下りリンク制御情報（Downlink Control Information: DCI）を送信するために用いられる。下りリンク制御情報を、ＤＣＩフォーマットと
も称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４７】
１つの下りリンクグラントは、１つのサービングセル内の１つのＰＤＳＣＨのスケジューリングに用いられる。下りリンクグラントは、該下りリンクグラントが送信されたサブフレームと同じサブフレーム内のＰＤＳＣＨのスケジューリングに用いられる。
【００４８】
１つの上りリンクグラントは、１つのサービングセル内の１つのＰＵＳＣＨのスケジューリングに用いられる。上りリンクグラントは、該上りリンクグラントが送信されたサブフレームより４つ以上後のサブフレーム内のＰＵＳＣＨのスケジューリングに用いられる。
【００４９】
ＰＤＣＣＨで送信される上りリンクグラントはＤＣＩフォーマット０を含む。ＤＣＩフォーマット０に対応するＰＵＳＣＨの送信方式は、シングルアンテナポートである。端末装置１は、ＤＣＩフォーマット０に対応するＰＵＳＣＨ送信のためにシングルアンテナポート送信方式を用いる。シングルアンテナポート送信方式が適用されるＰＵＳＣＨは、１つのコードワード（１つのトランスポートブロック）の伝送に用いられる。
【００５０】
ＰＤＣＣＨで送信される上りリンクグラントは、ＤＣＩフォーマット４を含む。ＤＣＩフォーマット４に対応するＰＵＳＣＨの送信方式は、閉ループ空間多重である。端末装置１は、ＤＣＩフォーマット４に対応するＰＵＳＣＨ送信のために閉ループ空間多重送信方式を用いる。閉ループ空間多重送信方式が適用されるＰＵＳＣＨは、２つまでのコードワード（２つまでのトランスポートブロック）の伝送に用いられる。
【００５１】
下りリンクグラント、または、上りリンクグラントに付加されるＣＲＣパリティビットは、Ｃ−ＲＮＴＩ（Cell-Radio Network Temporary Identifier）、Ｔｅｍｐｏｒａｒｙ
Ｃ−ＲＮＴＩ、ＳＰＳ（Semi Persistent Scheduling）Ｃ−ＲＮＴＩCell-Radio Network Temporary Identifier）によってスクランブルされる。Ｃ−ＲＮＴＩおよびＳＰＳ  
Ｃ−ＲＮＴＩは、セル内において端末装置を識別するための識別子である。Ｔｅｍｐｏｒａｒｙ  Ｃ−ＲＮＴＩは、コンテンションベースランダムアクセス手順の間に用いられる
。
【００５２】
Ｃ−ＲＮＴＩは、１つのサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。Ｔｅｍｐｏｒａｒｙ  Ｃ−ＲＮＴＩは、ランダムアクセスメッセージ３の再送信、および、ランダムアクセスメッセージ４の送信をスケジュールするために用いられる。
【００５３】
ＰＤＳＣＨは、下りリンクデータ（Downlink Shared Channel: DL-SCH）を送信するた
めに用いられる。ＰＤＳＣＨは、ランダムアクセスメッセージ２（ランダムアクセスレスポンス）を送信するために用いられる。ＰＤＳＣＨは、ハンドオーバコマンドを送信するために用いられる。
【００５４】
ランダムアクセスレスポンスは、ＲＡＲグラント（Random Access Response grant）を含む。ＲＡＲグラントは、ＰＤＳＣＨで送信される上りリンクグラントである。端末装置１は、ＲＡＲグラントに対応するＰＵＳＣＨ送信、および、同じトランスポートブロックに対する該ＰＵＳＣＨ再送信のためにシングルアンテナポート送信方式を用いる。
【００５５】
ハンドオーバコマンドは、ＨＯＣグラント（Handover Command grant）を含んでもよい。ＨＯＣグラントは、ＰＤＳＣＨで送信される上りリンクグラントである。端末装置１は、ＨＯＣグラントに対応するＰＵＳＣＨ送信、および、同じトランスポートブロックに対する該ＰＵＳＣＨ再送信のためにシングルアンテナポート送信方式を用いてもよい。ＨＯＣグラントに対応するＰＵＳＣＨで送信されたトランスポートブロックの再送信は、ＤＣＩフォーマット０、および、ＮＡＣＫによって指示されてもよい。
【００５６】
ＰＭＣＨは、マルチキャストデータ（Multicast Channel: MCH）を送信するために用いられる。
【００５７】
図１において、下りリンクの無線通信では、以下の下りリンク物理シグナルが用いられる。下りリンク物理シグナルは、上位層から出力された情報を送信するために使用されないが、物理層によって使用される。
・同期信号（Synchronization signal: SS）
・下りリンク参照信号（Downlink Reference Signal: DL RS）
【００５８】
同期信号は、端末装置１が下りリンクの周波数領域および時間領域の同期をとるために用いられる。同期信号は、ＰＳＳ（Primary Synchronization Signal）、および、ＳＳＳ（Second Synchronization Signal）を含む。
【００５９】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００６０】
本実施形態において、以下の７つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequ
ency Network Reference signal）
・ＰＲＳ（Positioning Reference Signal）
【００６１】
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００６２】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックは
コードワードにマップされ、コードワード毎に符号化処理が行なわれる。
【００６３】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control
message、RRC information: Radio Resource Control informationとも称される）を送
受信してもよい。また、基地局装置３と端末装置１は、媒体アクセス制御（MAC: Medium Access Control）層において、ＭＡＣ  ＣＥ（Control Element）を送受信してもよい。
ここで、ＲＲＣシグナリング、および／または、ＭＡＣ  ＣＥを、上位層の信号（higher
layer signaling）とも称する。
【００６４】
ＰＵＳＣＨおよびＰＤＳＣＨは、ＲＲＣシグナリング、および、ＭＡＣ  ＣＥを送信するために用いられる。ここで、基地局装置３からＰＤＳＣＨで送信されるＲＲＣシグナリングは、セル内における複数の端末装置１に対して共通のシグナリングであってもよい。基地局装置３からＰＤＳＣＨで送信されるＲＲＣシグナリングは、ある端末装置１に対して専用のシグナリング（dedicated signalingまたはUE specific signalingとも称する）であってもよい。セルスペシフィックパラメータは、セル内における複数の端末装置１に対して共通のシグナリング、または、ある端末装置１に対して専用のシグナリングを用いて送信されてもよい。ＵＥスペシフィックパラメータは、ある端末装置１に対して専用のシグナリングを用いて送信されてもよい。
【００６５】
図４は、本実施形態におけるハンドオーバプロシージャの一例を示す図である。
【００６６】
（ステップ４００）ターゲット基地局装置３Ｂは、ソース基地局装置３Ａにハンドオーバコマンドを送信する。ハンドオーバコマンドは、パラメータmobilityControlInfoを含
むパラメータRRCConnectionReconfigurationである。パラメータmobilityControlInfoは
、ＨＯＣグラント、ターゲットセルにおけるＣ−ＲＮＴＩを示すための情報、ターゲットセルにおけるＳＰＳ  Ｃ−ＲＮＴＩを示すための情報、および、ターゲットセルに関する情報を含んでもよい。ターゲットセルに関する情報は、ターゲットセルのＰＣＩ（Physical layer Cell Identity）を示すための情報、ターゲットセルの周波数を示すための情報が含まれてもよい。
【００６７】
（ステップ４０１）ソース基地局装置３Ａは、ＰＤＳＣＨを用いて、ソース基地局装置３Ａから受信したハンドオーバコマンドを、端末装置１に送信する。
【００６８】
（ステップ４０２）端末装置１は、ターゲットセルに関する情報に基づいて、ターゲットセルの下りリンク同期を取得する。端末装置１は、下りリンク同期の取得のために、ターゲットセルの同期信号、ターゲットセルのＣＲＳ、および、ターゲットセルのＰＢＣＨの一部、または、全部を用いてもよい。
【００６９】
（ステップ４０３）端末装置１は、ターゲットセルにおいて、ＨＯＣグラントに基づいて、ＰＵＳＣＨで上りリンクデータを送信する。当該上りリンクデータは、コンプリートメッセージ（RRCConnectionReconfigurationComplete message）を含んでもよい。当該ＰＵＳＣＨの送信タイミングは、端末装置１によって調整されてもよい。
【００７０】
（ステップ４０４）端末装置１は、ターゲットセルにおいて、所定の期間、ＨＯＣグラントに対応するＰＵＳＣＨ（上りリンクデータ）に対する応答の受信／復号を試みる。
【００７１】
当該応答は、以下の一部、または、全部を含んでもよい。
■応答タイプＡ：ＨＯＣグラントに対応するＰＵＳＣＨで送信された上りリンクデータに対するＰＨＩＣＨ（ＨＡＲＱインディケータ、ＡＣＫまたはＮＡＣＫ）
■応答タイプＢ：ＨＯＣグラントに対応するＰＵＳＣＨで送信された上りリンクデータに対するＰＨＩＣＨ（ＡＣＫのみ、ＮＡＣＫを除く）
■応答タイプＣ：ハンドオーバコマンドによって示されたＣ−ＲＮＴＩを含むＰＤＣＣＨ／ＥＰＤＣＣＨ
■応答タイプＤ：ハンドオーバコマンドによって示されたＳＰＳ  Ｃ−ＲＮＴＩを含むＰＤＣＣＨ／ＥＰＤＣＣＨ
【００７２】
ステップ４０４における所定の期間は、応答のタイプによって異なってもよい。例えば、応答タイプＡ、および、応答タイプＢに対する所定の期間は、サブフレームｎ＋４であってもよい。例えば、応答タイプＣ、および、応答タイプＤに対する所定の期間は、サブフレームｎ＋４からサブフレームｎ＋４＋αであってもよい。ここで、サブフレームｎは、ＨＯＣグラントに対応するＰＵＳＣＨが送信されるサブフレームである。ここで、αの値を示すための情報は、ハンドオーバコマンドに含まれてもよい。
【００７３】
（ステップ４０５）端末装置１は、ステップ４０４における所定の期間において応答がなかった場合、ＨＯＣグラントに基づいて、ＰＵＳＣＨで上りリンクデータを送信（再送信）する。当該上りリンクデータは、コンプリートメッセージ（RRCConnectionReconfigurationComplete message）を含んでもよい。ステップ４０５において送信される上りリンクデータは、ステップ４０３において送信される上りリンクデータと同じでもよい。
【００７４】
（ステップ４０６）端末装置１は、ステップ４０５のＰＵＳＣＨ送信に対する応答を検出する。端末装置１は、当該応答を検出したことに基づいて、ハンドオーバプロシージャの処理を終了してもよい。端末装置１は、当該応答を検出したことに基づいて、ハンドオーバに成功したとみなしてもよい。
【００７５】
（ステップ４０７）端末装置１は、ステップ４０６においてＮＡＣＫを検出した場合、ＨＯＣグラントに基づいて、ＰＵＳＣＨで上りリンクデータを再送信する。ＮＡＣＫに基づく再送信を、ｎｏｎ−ａｄａｐｔｉｖｅ再送信と称する。
【００７６】
（ステップ４０７）端末装置１は、ステップ４０６において再送信を指示するＤＣＩフォーマット０を含むＰＤＣＣＨ／ＥＰＤＣＣＨを検出した場合、当該ＤＣＩフォーマット０に基づいて、ＰＵＳＣＨで上りリンクデータを再送信する。ＤＣＩフォーマット０に基づく再送信を、ａｄａｐｔｉｖｅ再送信と称する。
【００７７】
図５は、本実施形態における上りリンクグラントに含まれるフィールドを説明するための図である。
【００７８】
‘Resource block assignment and hopping resource allocation’フィールドは、Ｐ
ＵＳＣＨが割り当てられる物理リソースブロックを示すために用いられる。‘Resource block assignment and hopping resource allocation’フィールドは、ＤＣＩフォーマッ
ト０とＨＯＣグラントの両方に含まれてもよい。
【００７９】
‘Modulation and coding scheme and redundancy version’フィールドは、トランス
ポートブロックのサイズ、変調方式（modulation order Q’m）、および、リダンダンシ
ーヴァージョンrvidxを示すために用いられる。‘Modulation and coding scheme and redundancy version’フィールドは、ＤＣＩフォーマット０とＨＯＣグラントの両方に含まれてもよい。
【００８０】
‘New data indicator’フィールドは、ＰＵＳＣＨ（トランスポートブロック）の初期送信、または、再送信を指示するために用いられる。‘New data indicator’フィールドは、ＤＣＩフォーマット０に含まれてもよい。‘New data indicator’フィールドは、ＨＯＣグラントに含まれない。
【００８１】
‘CSI request’フィールドは、セルに対するＣＳＩの送信を指示するために用いられ
る。‘CSI request’フィールドは、ＤＣＩフォーマット０とＨＯＣグラントの両方に含
まれてもよい。‘CSI request’フィールドは、１または２ビットである。‘CSI request’フィールドを、ＣＳＩ（Channel State Information）リクエストとも称する。
【００８２】
端末装置１に対して１つより多い下りリンクセル（サービングセル）が設定され、ＤＣＩフォーマット０がＣ−ＲＮＴＩによって与えられるＵＳＳ（UE-specific Search Space）にマップされる場合、当該ＤＣＩフォーマット０に含まれる‘CSI request’フィール
ドは２ビットである。端末装置１に対して１つの下りリンクセル（サービングセル）が設定されている場合、ＤＣＩフォーマット０に含まれる‘CSI request’フィールドは１ビ
ットでもよい。ＤＣＩフォーマット０がＣ−ＲＮＴＩによって与えられるＵＳＳ以外のサーチスペースにマップされる場合、当該ＤＣＩフォーマット０に含まれる‘CSI request
’フィールドは１ビットでもよい。Ｃ−ＲＮＴＩによって与えられるＵＳＳ以外のサーチスペースは、ＣＳＳ（Common Search Space）、および、Ｔｅｍｐｏｒａｒｙ  Ｃ−ＲＮ
ＴＩによって与えられるＵＳＳを含んでもよい。ここで、ＣＳＳ、および、ＵＳＳは、ＰＤＣＣＨ／ＥＰＤＣＣＨがモニタされるリソースのセットである。
【００８３】
ハンドオーバコマンドは、セカンダリーセルを示すための情報を含んでもよい。すなわち、端末装置１は、当該セカンダリーセルを示すための情報に基づいて、セカンダリーセルを追加／除去してもよい。ハンドオーバコマンドによって割り当てられる下りリンクセル（ハンドオーバ後のプライマリーセル／セカンダリーセル）の数に関わらず、ＨＯＣグラントに含まれる‘CSI request’フィールドは、１ビットでもよい。すなわち、端末装
置１に対して設定される下りリンクセル（サービングセル）の数に関わらず、ＨＯＣグラントに含まれる‘CSI request’フィールドは、１ビットでもよい。
【００８４】
サブフレームｎにおいてサービングセルに対するＤＣＩフォーマット０をデコードし、当該ＤＣＩフォーマット０の‘CSI request’フィールドが非周期的なＣＳＩレポートを
トリガーするようにセットされている場合、端末装置１は、当該サービングセルにおけるサブフレームｎ＋ｋ１において、ＰＵＳＣＨを用いて非周期的なＣＳＩレポートを実行する。ここで、ＦＤＤサービングセルに対して、ｋ１は４である。
【００８５】
サービングセルに対するＤＣＩフォーマット０に含まれる‘CSI request’フィールド
が１ビットであり、‘１’にセットされている場合、非周期的なＣＳＩレポートは、当該サービングセルに対してトリガーされてもよい。
【００８６】
サービングセルに対するＤＣＩフォーマット０に含まれる‘CSI request’フィールド
が２ビットであり、‘０１’にセットされている場合、非周期的なＣＳＩレポートは、当該サービングセルに対してトリガーされてもよい。
【００８７】
サービングセルに対するＤＣＩフォーマット０に含まれる‘CSI request’フィールド
が２ビットであり、‘１０’にセットされている場合、非周期的なＣＳＩレポートは、サービングセルの第１のセットに対してトリガーされてもよい。当該非周期的なＣＳＩレポートは、第１のセットに属する夫々のサービングセルに対するＣＳＩを含んでもよい。
【００８８】
サービングセルに対するＤＣＩフォーマット０に含まれる‘CSI request’フィールド
が２ビットであり、‘１１’にセットされている場合、非周期的なＣＳＩレポートは、サービングセルの第２のセットに対してトリガーされてもよい。当該非周期的なＣＳＩレポートは、第２のセットに属する夫々のサービングセルに対するＣＳＩを含んでもよい。
【００８９】
サービングセルの第１のセット、および、サービングセルの第２のセットは、上位層によって設定される。端末装置１は、サービングセルの第１のセット、および、サービングセルの第２のセットを示す上位層のパラメータを、基地局装置３から受信してもよい。
【００９０】
ＨＯＣグラントに含まれる‘CSI request’フィールドが‘１’にセットされている場
合、非周期的なＣＳＩレポートは、ターゲットセルに対してトリガーされてもよい。ＨＯＣグラントに含まれる‘CSI request’フィールドが‘１’にセットされている場合、端
末装置１は、ターゲットセルにおけるサブフレームｍにおいて、ＰＵＳＣＨを用いて、ターゲットセルに対する非周期的なＣＳＩレポートを実行する。当該非周期的なＣＳＩレポートは、図４のステップ４０３、および、図４のステップ４０５において実行されてもよい。ＨＯＣグラントに含まれる‘CSI request’フィールドが‘１’にセットされている
場合、図４のステップ４０３において、ＨＯＣグラントに基づいて、上りリンクデータ、および、ＣＳＩを含むＰＵＳＣＨ送信してもよい。ＨＯＣグラントに含まれる‘CSI request’フィールドが‘１’にセットされている場合、図４のステップ４０５において、ス
テップ４０３において送信されたＰＵＳＣＨに対する応答がない場合、ＨＯＣグラントに基づいて、上りリンクデータ、および、ＣＳＩを含むＰＵＳＣＨを送信（再送信）してもよい。ステップ４０３で送信されるＣＳＩ、および、ステップ４０５で送信されるＣＳＩは異なってもよい。ステップ４０３、および、ステップ４０５のそれぞれにおいて、最新のＣＳＩが送信されてもよい。ステップ４０５において送信されるＣＳＩは、再計算されていてもよい。ステップ４０３で送信される上りリンクデータ、および、ステップ４０５で送信される上りリンクデータ（トランスポートブロック）は同じである。
【００９１】
端末装置１は、図４のステップ４０６においてＮＡＣＫを受信した場合、上りリンクデータを含むＰＵＳＣＨを再送信する。端末装置１は、図４のステップ４０６においてＮＡＣＫを受信した場合、ＨＯＣグラントの‘CSI request’フィールドが‘１’にセットさ
れていたとしても、ＣＳＩを含まないＰＵＳＣＨを再送信する。本実施形態において、上りリンクデータ、および、ＣＳＩは個別に符号化され、ＣＳＩに対してＨＡＲＱは適用されないため、ＮＡＣＫの受信に基づいてＣＳＩは再送信されなくてもよい。
【００９２】
これにより、ターゲット基地局装置３Ａは、速やかにターゲットセルに対するＣＳＩを取得することができ、且つ、効率的に下りリンクのスケジューリングを行うことができる
。
【００９３】
図６は、本実施形態におけるトランスポートブロックおよびＣＳＩの符号化処理の一例を示す図である。ステップ６０においてＣＳＩが符号化される。ステップＳ６１においてトランスポートブロックが符号化される。トランスポートブロックの符号化はリダンダンリーバージョンrvidxに基づいて行われる。ステップＳ６２において、ＣＳＩの符号化ビ
ット、および、トランスポートブロックの符号化ビットの連結／インタリーブが行われる。ステップＳ６３において、ＰＵＳＣＨの信号の生成／送信が行われる。
【００９４】
以下、トランスポートブロックの符号化について説明をする。
【００９５】
図７は、本実施形態におけるコードワード（トランスポートブロック）の符号化の処理の一例を示す図である。当該符号化は、図６のステップ６１において実行される。図７の処理は、トランスポートブロックのそれぞれに対して適用されてもよい。１つのトランスポートブロックは、１つのコードワードにマップされる。すなわち、トランスポートブロックを符号化することは、コードワードを符号化することと同一である。
【００９６】
（ステップ６１０）１つのコードワードに、対応するＣＲＣパリティビットを付加した後、コードワードを１つまたは複数のコードブロックに分割する。コードブロックのそれぞれには、対応するＣＲＣパリティビットが付加されてもよい。（ステップ６１１）１つまたは複数のコードブロックのそれぞれは、符号化（例えば、ターボ符号化、または、畳み込み符号化）される。
【００９７】
（ステップ６１２）コードブロックの符号化ビットの系列のそれぞれに対して、レートマッチングが適用される。当該レートマッチングは、リダンダンリーバージョンrvidxに
応じて、実行される。
【００９８】
（ステップ６１３）レートマッチングが適用された１つまたは複数のコードブロックを連結することによって、コードワードの符号化ビットの系列が得られる。コードワードの符号化ビットの系列は、図６のステップ６２において、ＣＳＩの符号化ビットとともにインタリーブされる。
【００９９】
図８は、本実施形態におけるレートマッチングの一例を示す図である。当該レートマッチングは、図７のステップ６１２において実行される。すなわち、レートマッチングは、トランスポートブロックのコードブロックに対して適用される。
【０１００】
１つのレートマッチング（ステップ６１２）は、３つのインタリーブ（ステップ６１２ａ）、１つのビット収集（collection）（ステップ６１２ｂ）、１つのビット選択および除去（selection and pruning）（ステップ６１２ｃ）を含む。１つのレートマッチング
（ステップ６１２）には、チャネル符号化（ステップ６１１）から、３つの情報ビットストリーム（d’k、d’’k、d’’’k）が入力される。ステップ６１２ａにおいて、３つの情報ビットストリーム（d’k、d’’k、d’’’k）のそれぞれは、サブブロックインタリーバーに応じてインタリーブされる。３つの情報ビットストリーム（d’k、d’’k、d’
’’k）のそれぞれをインタリーブすることによって、３つの出力系列（v’k、v’’k、v’’’k）が得られる。
【０１０１】
該サブフレームインタリーバーの列の数Csubblockは３２である。該サブフロックイン
タリーバーの行の数Rsubblockは、以下の不等式（１）を満たす最も小さい整数である。
ここで、Dは情報ビットストリーム（d’k、d’’k、d’’’k）のそれぞれのビットの数
である。
【数１】
2019083358.tif 000003
【０１０２】
該サブフレームインタリーバーの出力系列（v’k、v’’k、v’’’k）のそれぞれのビットの数KΠは、以下の数式（２）によって与えられる。
【数２】
2019083358.tif 000004
【０１０３】
ステップ６１２ｂにおいて、３つの出力系列（v’k、v’’k、v’’’k）から、wk（virtual circular buffer）が得られる。wkは、以下の数式（３）によって与えられる。wk
のビットの数Kwは、KΠの３倍である。
【数３】
2019083358.tif 000005
【０１０４】
ステップ６１２ｃにおいて、wkからレートマッチング出力ビット系列ekが得られる。レートマッチング出力ビット系列ekのビットの数はEである。図９は、本実施形態のビット
選択および除去の一例を示す図である。図９のrvidxは、対応するトランスポートブロッ
クの送信に対するＲＶ（redundancy version）番号である。図９のNcbは、対応するコー
ドブロックのためのソフトバッファサイズであり、ビットの数によって表現される。Ncb
は、以下の数式（４）によって与えられる。
【数４】
2019083358.tif 000006
【０１０５】
ここで、Cは、図７のコードブロックセグメンテーション（ステップ６１０）において
、１つのトランスポートブロックが分割されるコードブロックの数である。ここで、NIR
は、対応するトランスポートブロックのためのソフトバッファサイズであり、ビットの数によって表現される。NIRは、以下の数式（５）によって与えられる。
【数５】
2019083358.tif 000007
【０１０６】
ここで、端末装置１が、送信モード３、４、８、９、または１０に基づいてＰＤＳＣＨ送信を受信するよう設定されている場合、KMIMOは２であり、且つ、それ以外の場合、KMIMOは１である。KMIMOは、端末装置１が設定されている送信モードに基づいて受信される
１つのＰＤＳＣＨ送信が含むことができるトランスポートブロックの最大数と同じである。
【０１０７】
ここで、MDL_HARQは、対応する１つのサービングセルにおいて並行して管理される下りリンクＨＡＲＱプロセスの最大数である。ＦＤＤサービングセルに対して、MDL_HARQは８であってもよい。ＴＤＤサービングセルに対して、MDL_HARQは上りリンク−下りリンク設定に対応してもよい。ここで、Mlimitは８である。
【０１０８】
ここで、Kcは、｛１、３／２、２、３、および、５｝のうちの何れか１つである。Kcの設定方法の説明は省略する。
【０１０９】
ここで、Nsoftは、ＵＥカテゴリー、または、下りリンクＵＥカテゴリーに応じたソフ
トチャネルビットの総数である。Nsoftは、能力パラメータue-Category (without suffix)、能力パラメータue-Category-v1020、能力パラメータue-Category-v1170、および、能
力パラメータue-CategoryDL-r12のうちの何れか１つによって与えられる。
【０１１０】
以下、トランスポートブロックの符号化のために用いられるリダンダンリーバージョンrvidxの取得方法について説明をする。
【０１１１】
端末装置１は、ＤＣＩフォーマット０を含むＰＤＣＣＨの検出に基づいて送信されるＰＵＳＣＨに対して、ＤＣＩフォーマット０に含まれる‘Modulation and coding scheme and redundancy version’フィールドに基づいて、トランスポートブロックのサイズ、変
調方式Q’m、および、リダンダンシーヴァージョンrvidx∈｛０、１、２、３｝を決定す
る。
【０１１２】
端末装置１は、ＤＣＩフォーマット０に含まれる‘Modulation and coding scheme and
redundancy version’フィールドから、ＭＣＳインデックスIMCSを取得する。端末装置
１は、当該ＭＣＳインデックスIMCSに基づいて、ＤＣＩフォーマット０を含むＰＤＣＣＨの検出に基づいて送信されるＰＵＳＣＨに対する、変調方式Q’m、ＴＢＳ（Transport Block Size）インデックスITBS、および、リダンダンシーヴァージョンrvidxを取得する。
ＴＢＳインデックスITBSは、トランスポートブロックのサイズを決定するために用いられる。ＤＣＩフォーマット０に含まれる‘Modulation and coding scheme and redundancy version’フィールドは、５ビットでもよい。
【０１１３】
図１０は、本実施形態における５ビットの‘Modulation and coding scheme and redundancy version’フィールドによって示されるＭＣＳインデックスIMCS、変調方式Q’m、
ＴＢＳ（Transport Block Size）インデックスITBS、および、リダンダンシーヴァージョンrvidxの対応の一例を示す図である。ＤＣＩフォーマット０がＰＵＳＣＨ（トランスポ
ートブロック）の再送信を指示する場合のみ、ＭＣＳインデックスIMCS｛２９、３０、３１｝が用いられてもよい。ＤＣＩフォーマット０がＰＵＳＣＨ（トランスポートブロック）の再送信を指示する場合のみ、ＤＣＩフォーマット０によって示されるＭＣＳインデックスIMCSはリダンダンシーヴァージョンrvidx｛１、２、３｝を示してもよい。
【０１１４】
端末装置１は、ＨＯＣコマンドに基づいて初期送信されるＰＵＳＣＨに対して、ＨＯＣグラントに含まれる‘Modulation and coding scheme and redundancy version’フィー
ルドに基づいて、トランスポートブロックのサイズ、および、変調方式Q’mを決定する。
【０１１５】
端末装置１は、ＨＯＣグラントに含まれる‘Modulation and coding scheme and redundancy version’フィールドから、ＭＣＳインデックスIMCSを取得する。端末装置１は、
当該ＭＣＳインデックスIMCSに基づいて、ＨＯＣコマンドに基づいて初期送信されるＰＵＳＣＨに対する、変調方式Q’m、および、ＴＢＳインデックスITBSを取得する。ＨＯＣグラントに含まれる‘Modulation and coding scheme and redundancy version’フィール
ドは、５ビットでもよい。ＨＯＣグラントに対して、図８の対応が適用されてもよい。図８において、ＨＯＣグラントに含まれる５ビットの‘Modulation and coding scheme and
redundancy version’フィールドは、ＭＣＳインデックスIMCS｛２９、３０、３１｝を
示さなくてもよい。すなわち、ＨＯＣグラントに含まれる５ビットの‘Modulation and coding scheme and redundancy version’フィールドは、リダンダンシーヴァージョンrvidx｛１、２、３｝を示さなくてもよい。
【０１１６】
ＨＯＣグラントに含まれる‘Modulation and coding scheme and redundancy version
’フィールドは、４ビットでもよい。図１１は、本実施形態における４ビットの‘Modulation and coding scheme and redundancy version’フィールドによって示されるＭＣＳ
インデックスIMCS、変調方式Q’m、ＴＢＳ（Transport Block Size）インデックスITBS、および、リダンダンシーヴァージョンrvidxの対応の一例を示す図である。ＨＯＣグラン
トによって示されるＭＣＳインデックスIMCSのそれぞれは、値が０のリダンダンシーヴァージョンrvidxに対応してもよい。
【０１１７】
図１２は、本実施形態における再送信のケースの一例を示す図である。
【０１１８】
（ケース１２００）端末装置１が、ＰＵＳＣＨでトランスポートブロックを新規送信した後に、当該ＰＵＳＣＨ（トランスポートブロック）に対するＰＤＣＣＨを検出する。ここで、ＰＤＣＣＨはＤＣＩフォーマット０を含む。ここで、当該ＰＵＳＣＨ（トランスポートブロック）に対するＨＡＲＱフィードバックを検出してもよいし、しなくてもよい。ここで、ＨＡＲＱフィードバックは、ＰＨＩＣＨをおいて送信される。この場合に、端末装置１は、ＰＤＣＣＨ（ＤＣＩフォーマット０に含まれる‘New data indicator’フィールド）に応じて、当該ＰＵＳＣＨ（トランスポートブロック）の再送信を行う。ここで、当該ＰＵＳＣＨ（トランスポートブロック）の再送信のために用いられるリダンダンシーヴァージョンrvidxは、ＰＤＣＣＨ（ＤＣＩフォーマット０に含まれる‘Modulation and coding scheme and redundancy version’フィールド）によって示される。
【０１１９】
（ケース１２０１）端末装置１が、ＰＵＳＣＨでトランスポートブロックを新規送信した後に、当該ＰＵＳＣＨ（トランスポートブロック）に対するＨＡＲＱフィードバックを検出する。ここで、ＨＡＲＱフィードバックは、ＰＨＩＣＨをおいて送信され、ＨＡＲＱフィードバックはＡＣＫを示す。ここで、端末装置１は、当該ＰＵＳＣＨ（トランスポートブロック）に対するＰＤＣＣＨを検出しない。この場合に、端末装置１は、当該ＰＵＳＣＨ（トランスポートブロック）の再送信を実行しない。ここで、端末装置１は、ＰＤＣＣＨに応じて、当該ＰＵＳＣＨ（トランスポートブロック）の再送信を再び開始（resume）することができる。ここで、端末装置１は、ＰＨＩＣＨ（ＮＡＣＫ）に応じて、当該ＰＵＳＣＨ（トランスポートブロック）の再送信を再び開始（resume）することはできない。
【０１２０】
（ケース１２０２）端末装置１が、ＰＵＳＣＨでトランスポートブロックを新規送信した後に、当該ＰＵＳＣＨ（トランスポートブロック）に対するＨＡＲＱフィードバックを検出する。ここで、ＨＡＲＱフィードバックは、ＰＨＩＣＨをおいて送信され、ＨＡＲＱフィードバックはＮＡＣＫを示す。ここで、端末装置１は、当該ＰＵＳＣＨ（トランスポートブロック）に対するＰＤＣＣＨを検出しない。この場合に、端末装置１は、当該ＰＵＳＣＨ（トランスポートブロック）の再送信を実行する。ここで、当該ＰＵＳＣＨ（トランスポートブロック）の再送信のために用いられるリダンダンシーヴァージョンrvidxは
、インクリメンタルリダンダンシー（incremental redundancy）に応じて与えられる。当該ＰＵＳＣＨ（トランスポートブロック）の再送信のために用いられるリダンダンシーヴァージョンrvidxは、当該ＰＵＳＣＨ（トランスポートブロック）の直前の送信のために
用いられたリダンダンシーヴァージョンrvidxとは異なる。
【０１２１】
（ケース１２０２）図１３は、本実施形態における状態変数ＣＵＲＲＥＮＴ＿ＩＲＶおよびリダンダンシーヴァージョンrvidxの関係の一例を示す図である。状態変数ＣＵＲＲ
ＥＮＴ＿ＩＲＶは、リダンダンシーヴァージョンrvidxの系列の中のインデックスである
。リダンダンシーヴァージョンrvidxの系列は、０、２、３、１である。状態変数ＣＵＲ
ＲＥＮＴ＿ＩＲＶは、modulo 4を用いて更新される。ＭＡＣ層は、当該ＰＵＳＣＨ（トランスポートブロック）の送信を物理層に指示するとともに、当該状態変数ＣＵＲＲＥＮＴ＿ＩＲＶを１つインクリメントする。
【０１２２】
（ケース１２０３）図４のステップ４０５において、ステップ４０４における所定の期間において、ステップ４０３においてＰＵＳＣＨを用いて送信したトランスポートブロックに対する応答がなかった場合、ＨＯＣグラントに基づいて、ＰＵＳＣＨ（トランスポートブロック）を再送信する。ここで、当該ＰＵＳＣＨ（トランスポートブロック）の再送信のために用いられるリダンダンシーヴァージョンrvidxは、固定値（例えば、‘０’）
であってもよい。または、当該ＰＵＳＣＨ（トランスポートブロック）の再送信のために用いられるリダンダンシーヴァージョンrvidxは、当該ＰＵＳＣＨ（トランスポートブロ
ック）の再送信が行われるサブフレームのサブフレーム番号によって与えられてもよい。
【０１２３】
以下、図４のステップ４０３および４０５におけるＰＵＳＣＨ送信が行われるサブフレームについて説明する。
【０１２４】
ハンドオーバコマンドは、図４のステップ４０３および４０５におけるＰＵＳＣＨ送信が行われるサブフレームを示すためのサブフレーム割り当て情報を含んでもよい。サブフレーム割り当て情報が示すサブフレームのパターンは所定の単位毎に繰り返されてもよい。
【０１２５】
サブフレーム割り当て情報が示すサブフレームのパターンは所定の単位毎に繰り返され、当該所定の単位が８、または、２０である場合、端末装置１は、ＰＢＣＨ（ＭＩＢ）に少なくとも基づいてＳＦＮを取得するまで、サブフレーム割り当て情報が示す上りリンクサブフレームにおいて、図４のステップ４０３および４０５におけるＰＵＳＣＨ送信を行うことができない。
【０１２６】
そこで、当該所定の単位は１０の正の約数であり、且つ、当該パターンは、ＳＦＮ＝０である無線フレーム内のサブフレーム番号０のサブフレームからスタートすることが好ましい。１０の正の約数は、１、２、５、１０である。これにより、端末装置１は、ＰＢＣＨ（ＭＩＢ）に少なくとも基づいてＳＦＮを取得する前に、サブフレーム割り当て情報が示す上りリンクサブフレームにおいて、図４のステップ４０３および４０５におけるＰＵＳＣＨ送信を行うことができる。
【０１２７】
図１４は、本実施形態におけるサブフレーム割り当て情報が示すサブフレームのパターンの一例を示す図である。図１４において、横軸は時間軸である。図１４において、サブフレーム割り当て情報が示すサブフレームのパターンは、無線フレーム内のサブフレーム番号０のサブフレームからスタートする。図１４において、サブフレーム割り当て情報が示すサブフレームのパターンは、１０サブフレーム（１無線フレーム）毎に繰り返される。１４００、および、１４０１は、同期信号（ＰＳＳ、および、ＳＳＳ）が送信される下りリンクサブフレームである。下りリンクサブフレーム１４００で送信されるＳＳＳは、下りリンクサブフレーム１４０１で送信されるＳＳＳとは異なる。１４０２は、サブフレーム割り当て情報が示す上りリンクサブフレームである。
【０１２８】
端末装置１は、ＰＳＳ、および、ＳＳＳから、無線フレームの境界を認識することがで
きる。しかし、端末装置１は、ＰＳＳ、および、ＳＳＳから、ＳＦＮを取得することはできない。しかし、端末装置１は、ＰＢＣＨ（ＭＩＢ）に少なくとも基づいてＳＦＮを取得する前に、上りリンクサブフレーム１４０２において、図４のステップ４０３および４０５におけるＰＵＳＣＨ送信を行うことができる。
【０１２９】
これにより、ハンドオーバの遅延を削減することができる。
【０１３０】
以下、本実施形態における装置の構成について説明する。
【０１３１】
図１５は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベー
スバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【０１３２】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【０１３３】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、スケジューリングリクエストの伝送の制御を行う。
【０１３４】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１３５】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１３６】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【０１３７】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【０１３８】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボル
にＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１３９】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１４０】
図１６は、本実施形態のターゲット基地局装置３Ｂの構成を示す概略ブロック図である。図示するように、ターゲット基地局装置３Ｂは、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。ソース基地局装置３Ａの構成は、ターゲット基地局装置３Ｂの構成と同じでもよい。
【０１４１】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１４２】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。上位層処理部３４は他の基地局装置、および、ＭＭＥ／ＧＷ３Ｃに情報を送信してもよい。上位層処理部３４は他の基地局装置、および、ＭＭＥ／ＧＷ３Ｃから情報を受信してもよい。
【０１４３】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１４４】
無線送受信部３０の機能は、無線送受信部１０と同様であるため説明を省略する。
【０１４５】
端末装置１が備える符号１０から符号１６が付された部のそれぞれは、回路として構成されてもよい。基地局装置３が備える符号３０から符号３６が付された部のそれぞれは、回路として構成されてもよい。
【０１４６】
以下、本実施形態における、端末装置１および基地局装置３の種々の態様について説明する。
【０１４７】
（１）本実施形態の第１の態様は、ソースセル（ソース基地局装置）からターゲットセ
ル（ターゲット基地局装置）にハンドオーバする端末装置であって、前記ソースセルにおいて、ＣＳＩ（Channel state Information）リクエストと上りリンクグラント（ＨＯＣ
グラント）を含むハンドオーバコマンド（パラメータmobilityControlInfoを含むパラメ
ータRRCConnectionReconfiguration）を受信する受信部１０と、前記ＣＳＩリクエストが非周期的なＣＳＩレポートをトリガーするようにセットされている場合、前記上りリンクグラントに基づいて、前記ターゲットセルに対するＣＳＩをともなう上りリンクデータの第１の送信を実行する送信部１０と、を備える。
【０１４８】
（２）本実施形態の第１の態様において、前記上りリンクデータは、コンプリートメッセージ（RRCConnectionReconfigurationComplete message）を含み、前記コンプリートメッセージは、前記ハンドオーバを確証（confirm）するために送信される。
【０１４９】
（３）本実施形態の第１の態様において、前記送信部１０は、前記第１の送信に対する応答がないことに基づいて、前記ターゲットセルに対するＣＳＩをともなう前記上りリンクデータの第２の送信を実行する。ここで、前記第１の送信に対する応答は、上述した応答タイプＡからＤの一部、または、全部であってもよい。
【０１５０】
（４）本実施形態の第１の態様において、前記送信部１０は、前記第１の送信に対するＮＡＣＫ（Negative Acknowledgement）の検出に基づいて、前記ターゲットセルに対するＣＳＩをともなわない前記上りリンクデータの第３の送信を実行する。
【０１５１】
（５）本実施形態の第１の態様において、前記上りリンクデータの符号化は、リダンダンシーヴァージョンrvidxに基づいて実行され、前記第２の送信の前記上りリンクデータ
に対して適用されるリダンダンシーヴァージョンは、前記第１の送信の前記上りリンクデータに対して適用されるリダンダンシーヴァージョンと同じである。
【０１５２】
（６）本実施形態の第１の態様において、前記第３の送信の前記上りリンクデータに対して適用されるリダンダンシーヴァージョンは、前記第１の送信の前記上りリンクデータに対して適用されるリダンダンシーヴァージョンと異なる。
【０１５３】
（６）本実施形態の第２の態様は、ソース基地局装置からターゲット基地局装置にハンドオーバする端末装置と通信するターゲット基地局装置であって、前記ソース基地局装置によって前記端末装置に転送されるハンドオーバコマンド（パラメータmobilityControlInfoを含むパラメータRRCConnectionReconfiguration）であって、ＣＳＩ（Channel state
Information）リクエストと上りリンクグラント（ＨＯＣグラント）を含む前記ハンドオーバコマンドを、前記ソース基地局装置に送信する上位層処理部３４と、前記ＣＳＩリクエストが非周期的なＣＳＩレポートをトリガーするようにセットされている場合、前記上りリンクグラントに基づいて、前記ターゲット基地局装置のターゲットセルに対するＣＳＩをともなう上りリンクデータの第１の送信を受信する受信部３０と、を備える。
【０１５４】
（７）本実施形態の第２の態様において、前記上りリンクデータは、コンプリートメッセージ（RRCConnectionReconfigurationComplete message）を含み、前記コンプリートメッセージは、前記ハンドオーバを確証（confirm）するために送信される。
【０１５５】
これにより、端末装置および基地局装置は互いに、効率的に通信を継続することができる。
【０１５６】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい
。装置グループとして、基地局装置３の一通りの各機能または各機能ブロックを有していればよい。また、上述した実施形態に関わる端末装置１は、集合体としての基地局装置と通信することも可能である。
【０１５７】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１５８】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１５９】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１６０】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１６１】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１６２】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信
装置に適用出来る。
【０１６３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１６４】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019083358.tif 000008
【図２】
2019083358.tif 000009
【図３】
2019083358.tif 000010
【図４】
2019083358.tif 000011
【図５】
2019083358.tif 000012
【図６】
2019083358.tif 000013
【図７】
2019083358.tif 000014
【図８】
2019083358.tif 000015
【図９】
2019083358.tif 000016
【図１０】
2019083358.tif 000017
【図１１】
2019083358.tif 000018
【図１２】
2019083358.tif 000019
【図１３】
2019083358.tif 000020
【図１４】
2019083358.tif 000021
【図１５】
2019083358.tif 000022
【図１６】
2019083358.tif 000023